【手続補正書】
【提出日】平成22年2月8日(2010.2.8)
【手続補正１】
【補正対象書類名】特許請求の範囲
【補正対象項目名】全文
【補正方法】変更
【補正の内容】
【特許請求の範囲】
【請求項１】
観察光を分光して検出するレーザー走査型顕微鏡において、
前記観察光を分散特性によって分光して射出するＫＴＮ結晶と、
前記ＫＴＮ結晶から射出された射出光を検出する検出器と、を備え、
前記ＫＴＮ結晶に印加する電圧を制御することによって、前記射出光の検出波長を動的に切り換えることを特徴とするレーザー走査型顕微鏡。
【請求項２】
観察光を分光して検出するレーザー走査型顕微鏡において、
前記観察光を分散特性によって分光して射出するＫＴＮ結晶と、
前記ＫＴＮ結晶から射出された射出光を検出する検出器と、
前記ＫＴＮ結晶と前記検出器の間に配置される、前記ＫＴＮ結晶の屈折率傾斜に直交した方向に開口したスリットとを備え、
前記ＫＴＮ結晶に印加する電圧を制御することによって、前記スリットを通過する前記射出光の検出波長を動的に切り換えることを特徴とするレーザー走査型顕微鏡。
【請求項３】
観察光を分光して検出するレーザー走査型顕微鏡において、
前記観察光を分散特性によって分光して射出するＫＴＮ結晶と、
前記ＫＴＮ結晶から射出された射出光を検出するための前記ＫＴＮ結晶の屈折率傾斜方向に配列された１次元配列検出器を備え、
前記ＫＴＮ結晶に印加する電圧を制御することによって、前記射出光の検出波長を動的に切り換えることを特徴とするレーザー走査型顕微鏡。
【請求項４】
請求項１から３のいずれか1項に記載のレーザー走査型顕微鏡において、
前記ＫＴＮ結晶に入射する観察光は、偏光ビームスプリッターとλ／２板を組み合わせて、前記ＫＴＮ結晶の有効方向の直線偏光に変換された後に前記ＫＴＮ結晶に入射されることを特徴とするレーザー走査型顕微鏡。
【請求項５】
観察光を分光して検出するレーザー走査型顕微鏡において、
前記観察光を分散特性によって分光して射出する第一のＫＴＮ結晶と、
前記第一のＫＴＮ結晶によって分光された射出光を、前記射出光の分光方向と直交する方向にさらに分光して射出する第二のＫＴＮ結晶と、
前記第二のＫＴＮ結晶から射出された前記射出光を検出するための２次元配列検出器を備え、
前記観察光の波長分布と偏光の比率を同時に検出することを特徴とするレーザー走査型顕微鏡。
【請求項６】
観察光を分光して検出するレーザー走査型顕微鏡において、
前記観察光を分散特性によって分光して射出する第一のＫＴＮ結晶と、
前記第一のＫＴＮ結晶によって分光された射出光を、前記射出光の分光方向と直交する方向にさらに分光して射出する第二のＫＴＮ結晶と、
前記第一のＫＴＮ結晶の屈折率傾斜方向に配列された第一の１次元配列検出器と
前記第二のＫＴＮ結晶の屈折率傾斜方向に配列された第二の１次元配列検出器を備え、
前記観察光の波長分布と偏光の比率を同時に検出することを特徴とするレーザー走査型顕微鏡。
【請求項７】
観察光を分光して検出するレーザー走査型顕微鏡において、
前記観察光を分散特性によって分光して射出するＫＴＮ結晶と、
前記ＫＴＮ結晶から射出された射出光を検出するための２次元配列検出器を備え、
前記ＫＴＮ結晶に印加する電界を回転させることにより、前記ＫＴＮ結晶から射出される前記射出光の分光方向を回転させることによって波長分布とその時間変化を検出することを特徴とするレーザー走査型顕微鏡。
【請求項８】
観察光を分光して検出するレーザー走査型顕微鏡において、
前記観察光を分散特性によって分光して射出するＫＴＮ結晶と、
前記ＫＴＮ結晶から射出された射出光を反射する多面鏡と、
前記多面鏡から反射された反射光を集光させるレンズと、
前記レンズの集光面に配置され、前記観察光の分光方向に配列された１次元配列検出器を備え、
前記ＫＴＮ結晶に印加する電圧を制御することによって、前記観察光の分散を動的に切り換えることを特徴とするレーザー走査型顕微鏡。
【請求項９】
観察光を分光して検出するレーザー走査型顕微鏡において、
前記観察光を分散特性によって分光して射出するＫＴＮ結晶と、
前記ＫＴＮ結晶の有効方向の偏光成分を偏向して射出された第一の射出光を反射する第一の多面鏡と、
前記ＫＴＮ結晶の有効方向と直交する偏光成分を偏向せずに射出された第二の射出光の偏光面を９０度回転させて再び前記ＫＴＮ結晶に入射するためのλ／４板と反射部材の組み合わせと、
前記反射部材から入射された直線偏光を偏向して射出された第二の射出光を反射する第二の多面鏡と、
前記第一の多面鏡から反射された反射光と前記第二の多面鏡から反射された反射光を同時に集光させるレンズと、
前記レンズの集光面に配置され、前記観察光の分光方向に配列された１次元配列検出器を備え、
前記ＫＴＮ結晶に印加する電圧を制御することによって、前記観察光の分散を動的に切り換え、波長分布と偏光の比率を同時に検出することを特徴とするレーザー走査型顕微鏡。
【請求項１０】
観察光を分光して検出するレーザー走査型顕微鏡において、
前記観察光を分散特性によって分光して射出するＫＴＮ結晶と、
前記ＫＴＮ結晶の有効方向の偏光成分を偏向して射出された第一の射出光を反射する第一の凹面鏡と、
前記ＫＴＮ結晶の有効方向と直交する偏光成分を偏向せずに射出された第二の射出光の偏光面を９０度回転させて再び前記ＫＴＮ結晶に入射するためのλ／４板と反射部材の組み合わせと、
前記反射部材から入射された直線偏光を偏向して射出された第二の射出光を反射する第二の凹面鏡と、
前記第一の凹面鏡から反射された反射光と前記第二の凹面鏡から反射された反射光の共通光路上に配置され、分光方向に直交した方向に開口したスリットと、
前記スリットによって所望の波長を選択して検出する検出器を備え、
前記ＫＴＮ結晶に印加する電圧を制御することによって、前記スリットを通過する前記射出光の検出波長を動的に切り換えることを特徴とするレーザー走査型顕微鏡。
【請求項１１】
観察光を分光して検出するレーザー走査型顕微鏡において、
前記観察光を分散特性によって分光して射出するＫＴＮ結晶と、
前記ＫＴＮ結晶の有効方向の偏光成分を偏向して射出された第一の射出光を反射する第一の凹面鏡と、
前記ＫＴＮ結晶の有効方向と直交する偏光成分を偏向せずに射出された第二の射出光の偏光面を９０度回転させて再び前記ＫＴＮ結晶に入射するためのλ／４板と反射部材の組み合わせと、
前記反射部材から入射された直線偏光を偏向して射出された第二の射出光を反射する第二の凹面鏡と、
前記第一の凹面鏡から反射された反射光と前記第二の凹面鏡から反射された反射光の共通光路上に配置され、分光方向に配列された１次元配列検出器と、
前記スリットによって所望の波長を選択して検出する検出器を備え、
前記ＫＴＮ結晶に印加する電圧を制御することによって、前記スリットを通過する前記射出光の検出波長を動的に切り換えることを特徴とするレーザー走査型顕微鏡。
【手続補正２】
【補正対象書類名】明細書
【補正対象項目名】０００７
【補正方法】変更
【補正の内容】
【０００７】
本発明の上記課題は、観察光を分光して検出するレーザー走査型顕微鏡において、前記観察光を分散特性によって分光して射出するＫＴＮ結晶と、前記ＫＴＮ結晶から射出された射出光を検出する検出器と、を備え、前記ＫＴＮ結晶に印加する電圧を制御することによって、前記射出光の検出波長を動的に切り換えることによって達成される。本構成では検出波長の切り換え時に機械的な駆動を伴わないので、動作が非常に高速である。
また、観察光を分光して検出するレーザー走査型顕微鏡において、前記観察光を分散特性によって分光して射出するＫＴＮ結晶と、前記ＫＴＮ結晶から射出された射出光を検出する検出器と、前記ＫＴＮ結晶と前記検出器の間に配置される、前記ＫＴＮ結晶の屈折率傾斜に直交した方向に開口したスリットとを備え、前記ＫＴＮ結晶に印加する電圧を制御することによって、前記スリットを通過する前記射出光の検出波長を動的に切り換えることによって達成される。